(57)【要約】【課題】接続回線状態に応じて音声信号の周波数特性を調整する音声通信装置及び電話機を提供する。【解決手段】かかる課題を解決するために、本発明の音声通信装置は、アナログ回線と、このアナログ回線の通信帯域よりも通信帯域が広い広帯域回線とに接続可能な電話機であって、通話時に接続する伝送回線の種類に応じて、通話信号の周波数特性を調整する周波数特性調整手段を備える。また、本発明の電話機は、アナログ回線と、このアナログ回線の通信帯域よりも通信帯域が広い広帯域回線とに接続可能な電話機であって、本発明の音声通信装置を有することを特徴とする。【選択図】      図１
2005236779.tif 000002
【特許請求の範囲】
【請求項１】
アナログ回線と、このアナログ回線の通信帯域よりも通信帯域が広い広帯域回線とに接続可能な音声通信装置であって、
通話時に接続する伝送回線の種類に応じて、通話信号の周波数特性を調整する周波数特性調整手段を備えることを特徴とする音声通信装置。
【請求項２】
上記周波数特性調整手段が、
通話時の判別可能な信号に基づいて接続する伝送回線種別を自動識別する回線種別識別部と、
上記通話信号の周波数特性を、所定の音声帯域でフラットになるように補正する周波数特性補正部と、
上記回線種別識別部の識別結果が、上記広帯域回線である場合、上記周波数特性補正部に上記通話信号を通過させる信号経路に切り替える信号経路切替部と
を備えることを特徴とする請求項１に記載の音声通信装置。
【請求項３】
上記信号経路切替部が、複数の格子の交差接点の開閉を制御することで信号経路を切り替え制御することを特徴とする請求項２に記載の音声通信装置。
【請求項４】
アナログ回線と、このアナログ回線の通信帯域よりも通信帯域が広い広帯域回線とに接続可能な電話機であって、請求項１〜３のいずれかに記載の音声通信装置を有することを特徴とする電話機。
【発明の詳細な説明】
【技術分野】
【０００１】
本発明は、音声通信装置及び電話機に関し、例えば、公衆電話交換網（アナログ回線）又は広帯域回線のいずれにも接続可能な音声通信装置及びこの音声通信装置を有する電話機に適用できる。
【背景技術】
【０００２】
一般的に、公衆電話交換網においては、４ｋＨｚ以上の音声信号を入力してはいけないという制限があり、公衆電話交換網に接続される一般的な電話機は、この制限を前提として設計されていたため、アナログ音声帯域（３００Ｈｚ〜３．４ｋＨｚ）内での音声信号の伝送を可能としている。特に、高域（４ｋＨｚ以上）については、併走する他の回線への電気的影響を最低限に抑えるために、公衆網への接続時には不要送出レベルが規定されている。
【０００３】
一方、近年、ブロードバンド化の急速な拡大により、例えばＩＰネットワーク等のデータ網への音声統合を可能とした装置（例えば、ＶｏＩＰゲートウェイ）が普及しつつあると共に、ブロードバンド化された広帯域伝送路（例えば、ＡＤＳＬやＦＴＴＨ等）を一般家庭まで安価に引き込むことができるようになってきている。その結果、音声帯域を制限することなく、高品質・広帯域通話が可能な音声通信に対応できる広帯域電話機も提案されている。
【発明の開示】
【発明が解決しようとする課題】
【０００４】
しかしながら、一般家庭に広く普及している従来の電話機は、上述したように伝送帯域を制限（３００Ｈｚ〜３．４ｋＨｚ）した音声信号を送出しているため、広帯域化伝送路（ゲートウェイを含む）と接続したとしても、高音質な通話は不可能である。
【０００５】
従って、広帯域専用の電話機を設計した場合であっても、通信相手側が既存する従来の電話機である場合、既存電話機により帯域制限がなされてしまうために、広帯域専用の電話機との接続が不可能となる。その結果、既存電話機との音声通信ができなくなることから、広帯域専用電話機の普及が十分に進行しない問題が生じる。
【０００６】
そのため、公衆網と広帯域伝送路とに接続可能な電話機であって、通話の接続時に、広帯域対応の装置と接続している場合には広帯域伝送を可能とし、それ以外の公衆網や既存のＰＢＸ等に接続している場合には、伝送帯域を制限した通話信号を送出することができる音声通信装置及び電話機が求められている。
【課題を解決するための手段】
【０００７】
かかる課題を解決するために、第１の本発明の音声通信装置は、アナログ回線と、このアナログ回線の通信帯域よりも通信帯域が広い広帯域回線とに接続可能な電話機であって、通話時に接続する伝送回線の種類に応じて、通話信号の周波数特性を調整する周波数特性調整手段を備えることを特徴とする。
【０００８】
また、第２の本発明の電話機は、第１の本発明の音声通信装置を有することを特徴とする。
【発明の効果】
【０００９】
本発明の音声通信装置及び電話機は、通信帯域が異なる複数の伝送路の通信帯域に応じて、通話信号の周波数特性を調整することができるので、広帯域伝送に応じた高品質な通話をすることができる。
【発明を実施するための最良の形態】
【００１０】
以下では、本発明に係る音声通信装置及び電話機を実施するための最良の形態について図面を参照して説明する。
【００１１】
（Ａ）第１の実施形態
本発明に係る音声通信装置及び電話機の第１の実施形態について図面を参照して説明する。本実施形態では、公衆電話交換網（アナログ回線）と、広帯域回線とに接続可能な電話機について説明する。
【００１２】
（Ａ）第１の実施形態の構成
図１は、本実施形態の電話機の主要な内部構成を示すブロック図である。なお、図１では、電話機としての一般的な機能（例えば、リンガ検出、リンガ鳴動、フックスイッチ、ＤＰ・ＰＢ生成等）については省略し、本実施形態の特徴とする通話路系の機能部についてのみ示したものである。
【００１３】
また、図１では、電話機からの送話出力信号の周波数特性を補正する場合について説明するが、受話入力信号の周波数特性を補正してもよい。受話入力信号の周波数特性を補正する場合においても、以下で説明する周波数特性の切替え方式を適用することができる。
【００１４】
図１に示すように、電話機は、電話機本体１００と、レシーバ２０１及びマイク２０２でなるハンドセット２００とを有する。
【００１５】
電話機本体１００は、公衆電話交換網（アナログ回線）及び広帯域網（例えばＶｏＩＰゲートウェイ等）と接続されたものであり、通話時の接続回線の種類に応じて、後述する接続切替ＳＷ１０７を切り替えることにより、送話出力信号の周波数帯域を制限した音声信号又は周波数帯域を制限しない信号を送出することができるものである。回線側が広帯域伝送路である場合、電話機本体１００が接続する装置は、広帯域伝送対応の装置（例えばＶｏＩＰゲートウェイ等）とすることができる。
【００１６】
電話機本体１００は、ＤＣループ生成回路１０１、受話入力アンプ１０２、レシーバアンプ１０３、マイクアンプ１０４、公衆網接続用送話出力アンプ１０５、広帯域接続用送話出力アンプ１０６、接続切替スイッチ（以下、接続切替ＳＷ）１０７を備える。
【００１７】
マイクアンプ１０４は、話者がハンドセット２００のマイク２０２に向けて話した音声信号を受け取り、その音声信号の周波数特性を増幅し、周波数特性を増幅した送話出力信号を公衆網接続用送話出力アンプ１０５及び広帯域接続用送話出力アンプ１０６に与えるものである。
【００１８】
公衆網接続用送話出力アンプ１０５は、マイクアンプ１０４から送話出力信号を受け取り、その送話出力信号の周波数帯域を制限して出力するものである。ここで図２（Ａ）は、公衆網接続用送話出力アンプ１０５の周波数特性を示す。図２（Ａ）に示すように、公衆網接続用送話出力アンプ１０５は、送話出力信号の周波数帯域について、例えば３００Ｈｚ〜３．４ｋＨｚの帯域でフラットになるように増幅し、低域（例えば３００Ｈｚ以下）及び高域（３．４ｋＨＺ以上）の帯域を制限した送話出力信号を送出する。
【００１９】
また、公衆網接続用送話出力アンプ１０５は、接続切替ＳＷ１０７の接続部２側に接続しており、接続切替ＳＷ１０７の切り替えにより、帯域制限した送話出力信号を送出する。
【００２０】
広帯域接続用送話出力アンプ１０６は、マイクアンプ１０４から与えられた送話出力信号について、予め定められた音声帯域の全体に渡ってフラットになるように増幅し、その増幅した送話出力信号を出力するものである。ここで図２（Ｂ）は、広帯域接続用送話出力アンプ１０６の周波数特性を示す。広帯域接続用送話出力アンプ１０６は、マイクアンプ１０４からの送話出力信号の周波数帯域に利得を増大させて予め定められた音声帯域をフラットにする。高域接続用送話出力アンプ１０６がフラットにする音声帯域は、例えば０〜８０００Ｈｚにわたって行なう。また、完全なフラットであることに限定されず、多少の歪みを持っていても良い。
【００２１】
また、広帯域接続用送話出力アンプ１０６は、接続切替ＳＷ１０７の接続部１側に接続しており、接続切替ＳＷ１０７の切り替えにより、音声帯域の全体に渡ってフラットな送話出力信号を送出するものである。
【００２２】
接続切替ＳＷ１０７は、手動で切替えることができる機構的なＳＷであり、接続回線との接続時に、電話機本体１００を接続する回線の種類に応じて、接続部１側又は接続部２側のいずれかに切替えるものである。接続切替ＳＷ１０７は、例えばユーザ等による切り替え操作により、接続部１又は接続部２の切り替えが可能であり、これにより、公衆網接続用送出アンプ１０５又は広帯域接続用送出アンプ１０６からの送話出力信号の送出が可能となる。
【００２３】
また、接続切替ＳＷ１０７は、通話時の接続回線の接続時に、送話出力アンプ１０５又は１０６の切り替えを設定変更することができ、通話に係る接続回線が変更した場合に、公衆網接続用送話出力アンプ１０５又は広帯域接続用送話出力アンプ１０６を切替えることができる。また、接続切替ＳＷ１０７は、通話中においても切り替え操作ができるようにしてもよい。つまり、話者であるユーザの意図に応じて公衆網接続用送話出力アンプ１０５又は広帯域接続用送話出力アンプ１０６を切り替えることができる。
【００２４】
なお、本実施形態では、接続切替ＳＷ１０７の設置位置を、公衆網接続用送話出力アンプ１０５及び広帯域接続用送話出力アンプ１０６の後段としたが、マイクアンプ１０４と、公衆網接続用送話出力アンプ１０５及び広帯域接続用送話出力アンプ１０６との間に設置してもよい。
【００２５】
またなお、本実施形態では、接続切替ＳＷ１０７を機構的なスイッチとして説明するが、送話出力アンプ１０５又は１０６の切り替えができるのであれば、アナログＳＷ（例えば、ＨＣ４０６６等）を利用して電子的に切り替えるようにしてもよい。
【００２６】
本実施形態では、音声信号の周波数特性の補正手段として、公衆網接続用送話出力アンプ１０５及び広帯域接続用送話出力１０６の２種類の備える場合について示すが、３個以上の送話出力アンプを備えるようにしてもよいし、又は、接続切替ＳＷ１０７の調整程度に応じて、広帯域接続用送話出力アンプ１０６が補償する音声帯域を可変にできるようにしてもよい。これにより、受信相手装置に応じた品質の音声信号を送出することができる。
【００２７】
ＤＣループ生成回路１０１は、通話開始時に回線側の入出力線のループを生成するものであり、既存のループ生成回路を適用できる。
【００２８】
受話入力アンプ１０２は、回線側から受話入力信号を受信し、受信入力信号の周波数特性を増幅させて、周波数特性を増幅させた受話入力信号をレシーバアンプ１０３に与えるものである。
【００２９】
レシーバアンプ１０３は、受話入力アンプ１０２から受話入力信号を受け取り、予め定められた所定帯域で受話入力信号の周波数特性を増幅させて、所定帯域で周波数特性を増幅した受話入力信号をハンドセット２００のレシーバ２０１に与えるものである。
【００３０】
（Ａ−２）第１の実施形態の動作
次に、通話時に接続する接続回線の種類に応じて、周波数特性を切り替えた送話出力信号を回線に出力する本実施形態の電話機の動作について説明する。
【００３１】
まず、電話機本体１００を接続回線に接続時に、その接続回線の種類（公衆電話交換網又は広帯域回線）に応じて、ユーザにより接続切替ＳＷ１０７が切り替えられる。
【００３２】
例えば、電話機本体１００と接続する接続回線が公衆電話交換網又は既存のＰＢＸ等と接続する場合、接続切替ＳＷ１０７は接続部１側に切り替えられ、広帯域伝送に対応する装置と接続する場合、接続切替ＳＷ１０７は接続部２側に切り替えられる。
【００３３】
電話機の利用者が発音した音声は、ハンドセット２００のマイク２０２で捕捉されて、音声信号（電気信号）に変換され、電話機本体１００のマイクアンプ１０４に与えられる。
【００３４】
マイク２０２からの音声信号は、マイクアンプ１０４により、音声信号の周波数特性が増大され、周波数特性が増大された音声信号が公衆網接続用送話出力アンプ１０５及び広帯域接続用送話出力アンプ１０６に与えられる。
【００３５】
マイクアンプ１０４により増幅された送話出力信号は公衆網接続用送話出力アンプ１０５に与えられ、送話公衆網用接続用送話出力アンプ１０５により、送話出力信号の周波数特性は、図２（Ａ）に示すように、３００Ｈｚ〜３．４ｋＨｚの帯域で増幅され、低域（３００Ｈｚ以下）及び高域（３．４ｋＨｚ以上）で制限される。そして、公衆網接続用送話出力アンプ１０５により帯域制限された送話出力信号は、接続切替ＳＷ１０７の接続部１側に与えられる。
【００３６】
また、マイクアンプ１０４により増幅された送話出力信号は広帯域接続用送話出力アンプ１０６にも与えられ、広帯域接続用送話出力アンプ１０６により、送話出力信号の周波数特性は、図２（Ｂ）に示すように、予め設定された音声帯域全体でフラットになるように増幅される。そして、広帯域接続用送話出力アンプ１０６により増幅された送話出力信号は、接続切替ＳＷ１０７の接続部２側に与えられる。
【００３７】
公衆網接続用送話出力アンプ１０５及び広帯域接続用送話出力アンプ１０６により周波数特性が補正された送話出力信号は、ユーザによる接続切替ＳＷ１０７の切り替え設定に応じて、いずれかの送話出力信号が接続回線に出力される。
【００３８】
例えば、通話時の通話相手が一般電話機であり、電話機本体１００は公衆電話交換網又は既存のＰＢＸ等と接続している場合、ユーザの操作により接続切替ＳＷ１０７が接続部１側に切り替えられているとき、公衆網接続用送話出力アンプ１０５からの送話出力信号が接続回線に出力する。
【００３９】
また例えば、通話時の通話相手が広帯域専用の電話機（例えばＩＰ電話機）であり、電話機本体１００は広帯域伝送に対応の装置（例えば、ＶｏＩＰゲートウェイ）と接続している場合、ユーザの操作により接続切替ＳＷ１０７が接続部２側に切り替えられているとき、広帯域接続用送話出力アンプ１０６からの送話出力信号が接続回線に出力される。
【００４０】
このように、電話機本体１００が公衆電話交換網又は広帯域回線に接続可能な場合でも、接続切替ＳＷ１０７を切り替えることで、広帯域伝送路に接続するときにのみ、通信帯域が広い送話出力信号を送出することが送出することができる。
【００４１】
（Ａ−３）第１の実施形態の効果
以上、本実施形態は、通話信号の周波数特性を補正する送話出力アンプ１０５及び１０６を切り替える接続切替ＳＷ１０７を備えることにより、通話時の通話相手の電話機の種類に応じて、ユーザの操作により接続切替ＳＷ１０７を切り替えることができるので、通話相手が広帯域専用の電話機である場合であっても、広帯域伝送を実現することができる。
【００４２】
また、本実施形態は、公衆電話回線網又は広帯域伝送路に接続可能な場合であっても、１台の電話機でいずれの通信帯域のネットワークへの接続をも可能とすることができる。
【００４３】
（Ｂ）第２の実施形態
次に、本発明の電話機の第２の実施形態について図面を参照して説明する。
【００４４】
（Ｂ−１）第２の実施形態の構成
図３は、本実施形態の電話機の内部構成を示すブロック図である。
【００４５】
本実施形態の電話機が第１の実施形態で説明した電話機と異なる点は、電話機本体３００の内部構成である。
【００４６】
本実施形態の電話機本体３００は、発呼又は着呼の際に、広帯域伝送に使用する信号であって公衆電話交換網で使用しない信号や、広帯域回線を利用する場合のシーケンス信号の検出に基づいて、接続回線を判断して送話出力信号の周波数特性を自動的に切り替えて送話出力信号を回線に出力するものである。
【００４７】
図３では、図１の実施形態で説明した電話機本体１００の構成要件に対応する構成要件については対応する符号を付し、これらの機能説明は省略し、第１の実施形態の構成要件と異なる構成要件については以下で詳細に説明する。
【００４８】
図３に示すように、電話機本体３００は、ＤＣループ生成回路１０１、受話入力アンプ１０２、レシーバアンプ１０３、マイクアンプ１０４、クロスポイントＳＷ３０４、イコライザアンプ３０５、ＣＰＵ３０３、送話出力アンプ３０２、識別信号検出回路３０１を備える。
【００４９】
識別信号検出回路３０１は、回線側との接続時に、回線側に接続する装置が一般電話機であるか又は広帯域伝送対応の装置（例えば広帯域ＶｏＩＰゲートウェイ等）であるかを識別するものである。また、識別信号検出回路３０１は、識別した結果、回線側が広帯域伝送対応の装置である場合に、ＣＰＵ３０３に対して広帯域化検出信号を与えるものである。
【００５０】
例えば、識別信号検出回路３０１は、回線側が広帯域伝送対応の装置（例えばＶｏＩＰゲートウェイ等）からの識別情報を受け取り、その識別情報に基づいて回線側が広帯域伝送対応装置であることを判別する。
【００５１】
また例えば、識別信号検出回路３０１は、接続線における物理特性の測定部を内蔵させ、その測定値と内部格納情報との照合により、回線側の電話機の種別を判別する。このように使用できる物性特性としては、例えば、待機電圧や通話時の２線間電圧や対地間電圧や通話電流やオフフックトーンの周波数やパターンやＰＢ信号受信やＤＰ信号の受信等を挙げることができる。
【００５２】
また例えば、回線側の電話機への出力物理特性の測定部を内蔵させ、その測定値変動や応答などに基づいて、内部格納情報との照合により回線側の電話機の種別を判別する。このように使用できる出力物理特性としては、例えば、リンガ出力電圧やリンガ出力周波数やリンガパターンや送出ＰＢ信号や識別用トーン送出や高域トーン送出やモデム信号の送受などを挙げることができる。すなわち、広帯域電話機による反応と、一般電話機による反応とが異なる特性を適用すれば良い。なお、特性によっては、広帯域電話機が意図的に一般電話機による反応と異なるようにしておくことを要する。
【００５３】
また識別信号検出回路３０１によるこれら識別方法は、複数の特性の組み合せで判定するようにしてもよい。
【００５４】
ＣＰＵ３０３は、所定のプログラムを実行する制御部であり、所定の周期プログラムに従って、識別信号検出回路３０１からの検出結果を常時監視しており、その検出結果に応じてクロスポイントＳＷ３０４のスイッチ切替えを制御するものである。ＣＰＵ３０３は、識別信号検出回路３０１から広帯域化検出信号を受け取ると、クロスポイントＳＷ３０４を、後述するイコライザアンプ３０５を介さない送信経路になるように切り替え制御するものである。
【００５５】
クロスポイントＳＷ３０４は、複数の格子の交差点からなる接点を有するスイッチであり、ＣＰＵ３０３の制御によりその交差点の接点の開閉により音声信号の経路を切り替えるものである。クロスポイントＳＷ３０４は、ＣＰＵ３０３からの制御により、マイクアンプ１０４からの音声信号を、イコライザアンプ３０５を経由する経路、又は、送話出力アンプ３０２に直接与える経路に切替えるものである。
【００５６】
本実施形態では、ＣＰＵ３０３及びクロスポイントＳＷ３０４は、マイクアンプ１０４からの音声信号をイコライザアンプ３０５に出力する経路をデフォルトモードとし、識別信号検出回路３０１が識別信号を検出した場合にのみ、イコライザアンプ３０５に出力しない経路に切替えるようにする。
【００５７】
勿論、ＣＰＵ３０３及びクロスポイントＳＷ３０４は、イコライザアンプ３０５に出力しない経路をデフォルトモードにし、識別信号検出回路３０１から公衆電話交換網である旨の通知信号の受信により、イコライザアンプ３０５に出力する経路に切替えるようにしてもよい。
【００５８】
本実施形態では、クロスポイントＳＷ３０４を用いることとして説明したが、ＣＰＵ３０３の制御により、通話信号の周波数特性の補正ができるのであれば、アナログＳＷを利用して信号経路を切り替えるようにしてもよい。
【００５９】
イコライザアンプ３０５は、クロスポイントＳＷ３０４を通過してきた送話出力信号の周波数帯域を公衆電話回線網の通信帯域に応じて制限するものである。また、イコライザアンプ３０５は、周波数帯域を制限した送話出力信号を送話出力アンプ３０２に与えるものである。イコライザアンプ３０５の周波数特性は、図４に示すように、マイクアンプ１０４からの音声信号を、３００Ｈｚ〜３．４ｋＨｚの帯域でフラットになるように増幅する。
【００６０】
なお、本実施形態では、送話出力信号の周波数帯域を制限する手段として、１個のイコライザアンプ３０５を備えることとして説明したが、増幅する周波数帯域が異なる複数の周波数特性補正手段を備えるようにしてもよい。
【００６１】
この場合、ＣＰＵ３０３は、識別信号検出回路３０１が検出した通信相手となる電話機の種類や通話相手に応じた周波数特性補正手段に切り替えるようにしてもよい。
【００６２】
送話出力アンプ３０２は、マイクアンプ１０４からの音声信号又はイコライザアンプ３０５からの音声信号の利得を予め決められた帯域について増幅させるものである。
【００６３】
（Ｂ−２）第２の実施形態の動作
次に、本実施形態の電話機による周波数特性の自動切換えの動作について説明する。
【００６４】
当該電話機３００の発呼又は着呼の際、当該電話機と伝送路を介して接続する相手側の装置との間で、通信状態となる前の呼シーケンスが行われる。
【００６５】
呼シーケンスの段階の信号は、識別信号検出回路３０１に監視され、広帯域伝送に使用される信号であるか、又は、公衆電話網の伝送に使用される信号であるかが判断される。
【００６６】
例えば、当該電話機３００と接続する回線側の装置が、広帯域伝送に対応可能な装置（例えばＶｏＩＰゲートウェイ等）である場合、識別信号検出回路３０１は、この広帯域伝送装置若しくは当該電話機３００から広帯域伝送装置に対して伝送される識別信号、又は、シーケンス（例えば、リンガ信号、回線の極性リバース、線間電圧、音声帯域内信号、広帯域音声信号、ＰＢ・ＤＰ等）のやり取りを検出する。
【００６７】
これにより、識別信号検出回路３０１により、回線側が広帯域回線であると判断されると、広帯域化検出信号がＣＰＵ３０３に与えられる。
【００６８】
広帯域化検出信号がＣＰＵ３０３に与えられると、ＣＰＵ３０３は、クロスポイントＳＷ３０４を、イコライザアンプを介しない伝送経路に切り替え制御する。
【００６９】
これにより、マイク２０２により捕捉され電子信号に変換された音声信号は、マイクアンプ１０４により、利得変換された後、クロスポイントＳＷを介して送話出力アンプ３０２に与えられる。
【００７０】
送話出力アンプ３０２により、所定帯域の利得が増幅されて、広帯域にわたりフラットな周波数特性が得られ、接続回線に出力される。
【００７１】
また、識別信号検出回路３０１において広帯域伝送でないと判断されると、広帯域化検出信号はＣＰＵ３０１に与えられず、クロスポイントＳＷ３０４は、イコライザアンプ３０５を介する伝送経路に切り替える。
【００７２】
これにより、マイク２０２により捕捉された電気信号に変換された音声信号は、マイクアンプ１０４により、利得変換された後、クロスポイントＳＷを介してイコライザアンプ３０５に与えられる。
【００７３】
クロスポイントＳＷ３０４を介してイコライザアンプ３０５に与えられた音声信号は、イコライザアンプ３０５の所定の周波数特性（図４参照）により、３００Ｈｚ〜３．４ｋＨｚの帯域でフラットになるように増幅され、３００Ｈｚ以下及び３．４ｋＨｚ以上の帯域が制限される。そして、帯域制限された音声信号は送話出力アンプ３０２に与えられる。
【００７４】
イコライザアンプ３０５により帯域制限された音声信号は、送話出力アンプ３０２により、所定帯域の利得が増幅されて接続回線に出力される。
【００７５】
このようにして、識別信号検出回路３０１が通話時に広帯域伝送路と接続することを検出した場合にのみ、イコライザアンプ３０５を通過させる信号経路に切り替えることができる。
【００７６】
（Ｂ−３）第２の実施形態の効果
以上のように、第２の実施形態の音声通信装置は、第１の実施形態の音声通信装置と同様の効果を奏する。
【００７７】
また第２の実施形態の音声通信装置は、電話機の発呼又は着呼の際に、接続相手装置の識別信号又は接続シーケンスのやりとりに基づいて、伝送路に応じて送話出力の信号経路を自動的に切り替えることにより、ユーザに意識させることなく、最適な状態で音声通信を行うことができる。
【００７８】
（Ｃ）他の実施形態
（Ｃ−１）上述した第１及び第２の実施形態は、電話機について説明したが、アナログ回線と広帯域回線とを接続可能なアナログ伝送装置（例えば、電話機収容装置）に適用してもよい。
【００７９】
（Ｃ−２）上述した第１及び第２の実施形態では、送話信号の周波数特性を補正する送話出力アンプを切り替える構成について詳細に説明したが、受話信号の周波数特性を補正する受話出力アンプについても同様に切り替えるようにしてもよい。
【００８０】
また、受話入力信号の周波数特性の補正を切り替える構成を備える場合、送話出力アンプと受話出力アンプの種類を切り替える接続切替ＳＷが連動するようにしてもよい。
【００８１】
（Ｃ−３）上述した第１及び第２の実施形態では、公衆網との接続時に公衆網の通信帯域に応じて音声信号の通信帯域を制限できるようにするために、帯域制限の切り替えができる場合の利用について説明したが、ユーザの利用態様により、必要に応じた周波数特性を持たせることにより、ユーザが意図的に周波数特性の切り替えができるようにしてもよい。例えば、受話入力信号に利用した場合、高齢者向けに高域を強調できるようにしてもよい。
【００８２】
（Ｃ−３）上述した第２の実施形態では、複数の周波数特性をもったイコライザアンプ及び選択スイッチを備え、クロスポイントＳＷの組み合せしだいで話者の好みに応じた周波数特性を作り出せるようにしてもよい。
【００８３】
（Ｃ−４）上述した第２の実施形態の変形例について説明する。
【００８４】
例えば、クロスポイントＳＷ３０４により切り替え可能な複数の周波数特性補正手段を備える。また、電話機本体３００が、ユーザの操作により特定通話相手の電話機の識別情報（例えば電話番号等）と、その通話相手に応じた周波数特性の補正度（品質度）とを対応付けて記憶する記憶手段を備える。
【００８５】
通話時に、識別信号検出回路３０１が通話相手先の識別信号を検出し、その識別信号と、記憶手段に記憶されている識別情報とを比較し、当該識別信号が記憶手段の識別情報と一致する場合に、識別信号検出回路３０１がＣＰＵ３０３に一致情報を与える。
【００８６】
ＣＰＵ３０３は、識別信号検出回路３０１からの一致信号に基づいて、ＣＰＵ３０３が識別情報対応する周波数特性の補正度に応じた周波数特性補正手段に切り替えるようにしてもよい。
【００８７】
この第２の実施形態の変形例によれば、単に公衆網又は広帯域網との接続での通信帯域の調整だけでなく、通話相手の電話機との通話に応じて、自動的な通信帯域の設定が可能となる。
【図面の簡単な説明】
【００８８】
【図１】第１の実施形態の電話機の内部構成を示すブロック図である。
【図２】第１の実施形態の送話出力アンプの周波数特性を説明する説明図である。
【図３】第２の実施形態の電話機の内部構成を示すブロック図である。
【図４】第２の実施形態のイコライザアンプの周波数特性を説明する説明図である。
【符号の説明】
【００８９】
１００、３００…電話機本体、１０７…接続切替ＳＷ、
１０５…公衆網接続用送話出力アンプ、１０６…広帯域接続用送話出力アンプ。
【図１】
2005236779.tif 000003
【図２】
2005236779.tif 000004
【図３】
2005236779.tif 000005
【図４】
2005236779.tif 000006